(57)【要約】【課題】顧客がローディング動作中にカセットが引き抜かれるなどしてロックアームなどのローディング誤作動防止用の部品が所定位置まで回動しない場合でも、カセットがなくなったことを良好に認識できて、ローディングエラーが発生することのない磁気記録再生装置におけるカセット検出装置を提供する。【解決手段】カセットを保持、移送するカセットホルダー３に、回転軸１１を同一にする第１のレバー２１と第２のレバー２２を設け、第１のレバー２１は、カセットが当接して回動させる押圧部１３と、カセットの挿入完了時に光センサー１６の発光部と受光部１６ａの間を遮光する遮光片１５と、第１のリブ２５と第２のリブ２６とを備える。そして、カセットホルダーガイド４に設けた切欠き部４ｂと係合する鉤状部１７を備えた第２のレバー２２と、第２のリブ２６とが、付勢手段１８により回動された状態で係合可能であり、第２のリブ２６と第２のレバー２２との係合が、遮光片１５が遮光を終了したタイミングで開始されるように配置した。【選択図】図１
2008041205.tif 000002
【特許請求の範囲】
【請求項１】
基台に対してスライド可能に配設されたカセット載置用のカセットホルダーと、
前記基台に、前記カセットホルダーのスライド方向に対して略平行となる姿勢で固定されたカセットホルダーガイドと、
前記カセットホルダーの奥部に、同じ回転軸心を中心として回動自在に配設された第１のレバーおよび第２のレバーと、
第１のレバーをカセット挿入方向と略逆方向となる回動方向に付勢する付勢手段とを備え、
前記第１のレバーは、カセットに当接して前記第１のレバーを回動させる押圧部と、前記カセットが挿入されて前記第１のレバーが回動された際に光センサーの発光部と受光部との間に入って遮光する遮光片部とを有し、
前記第２のレバーは、カセット排出時に前記カセットホルダーガイドと係合する鉤状部を有し、
第１のレバーおよび第２のレバーのうちの一方のレバーに、カセット挿入時に他方のレバーに係合して、第２のレバーをその鉤状部が前記カセットホルダーガイドから離脱する回動方向に移動させる挿入時係合部が設けられ、
第１のレバーおよび第２のレバーのうちの一方のレバーに、カセット排出時に第１のレバーが所定角度回動した後に他方のレバーに係合して、第２のレバーをその鉤状部が前記カセットホルダーガイドと係合可能な回動方向に移動させる排出時係合部が設けられたことを特徴とする磁気記録再生装置におけるカセット検出装置。
【請求項２】
カセット排出時に付勢手段の付勢力で第１のレバーが回動される際に、排出時係合部が、他方のレバーに対して、前記遮光片部による光センサーの光の遮光を終了したタイミングで、係合するように配置したことを特徴とする請求項１記載の磁気記録再生装置におけるカセット検出装置。
【請求項３】
第２のレバーの、カセットホルダーおよび第１のレバーの少なくとも一方の部材に接触する面に、潤滑表面処理を施したことを特徴とする請求項１または２に記載の磁気記録再生装置におけるカセット検出装置。
【請求項４】
第１のレバーにおける回転軸心の外周となる箇所に、第２のレバーと当接する環状の凸部を設けたことを特徴とする請求項１または２に記載の磁気記録再生装置におけるカセット検出装置。
【請求項５】
排出時係合部および挿入時係合部が第１のレバーに設けられていることを特徴とする請求項１〜４の何れか１項に記載の磁気記録再生装置におけるカセット検出装置。
【発明の詳細な説明】
【技術分野】
【０００１】
本発明は、磁気記録再生装置におけるカセット検出装置に関するものである。
【背景技術】
【０００２】
図７は磁気記録再生装置の斜視図である。
図７に示すように、着脱自在のカセット２を用いて記録再生を行う磁気記録再生装置には、磁気記録再生装置１内に挿入されたカセット２を保持し、また、磁気記録再生装置１内にカセット２をローディングする機構であるカセットホルダー３が設けられている（特許文献１、２等参照）。
【０００３】
このカセットホルダー３は、記録再生のため、挿入されたカセット２を保持したまま、左右に設けられたカセットホルダーガイド４に形成されたガイド溝４ａに沿って、磁気記録再生装置１の基台（いわゆるシャーシ）５内を、内部（奥側）へ水平方向にスライドし、その後、垂直下方向に移動することで、カセット２を、記録再生するための所定の位置まで移送する構成とされている。なお、この移送動作を、以降、ローディングと呼ぶ。
【０００４】
カセットホルダー３には、ローディング機構に加えて、後述する、カセット検出機構と、カセット誤挿入などの外力によるローディング誤作動の防止機構とが設けられている。
図８〜図１０に基づいて、カセットホルダー３のカセット検出機構とローディング誤作動の防止機構とについて詳細に説明する。なお、理解し易いように、図７の紙面における略右側を手前方向、略左側を奥側方向、カセット２の幅方向に沿う向きを左右方向と称して説明する。
【０００５】
ここで、図８（ａ）および（ｂ）は、カセットホルダーの平面図（上面側から下方に見た図）および正面図であり、図９（ａ）および（ｂ）は、ローディング誤作動防止機能を持ったカセット検出機構を斜め上方から見た斜視図、およびそのカセット検出機構の一部（平面視して左側奥部）を斜め下方から見た斜視図（カセットホルダーを裏返して斜め上方から見た図）、図１０（ａ）〜（ｃ）はそれぞれカセットホルダーを下方から見た下面図（カセットホルダーを裏返して上方から見た平面図）で、図１０（ａ）はカセットを挿入する前の状態を示し、図１０（ｂ）はカセットを挿入した状態を示し、図１０（ｃ）はローディング中にカセットを抜いた状態を示す。
【０００６】
図８〜図１０に示すように、カセットホルダー３の上面部奥側の隅部には、カセットホルダー３の上面部裏面から下方に延びる姿勢でシャフト１１が取り付けられ、このシャフト１１には、シャフト１１を中心として回動自在にロックアーム１２が組み付けられている。シャフト１１には、つるまきばねからなる付勢ばね１８が、その一端がロックアーム１２に引っ掛けられた状態で遊嵌されており、この付勢ばね１８により、ロックアーム１２は図９および図１０（ａ）におけるａ方向に付勢されている。
【０００７】
ロックアーム１２には、カセット２が挿入された際に、カセット２の奥端面に当接する半球突起形状の押圧部１３が、ロックアーム１２の奥側部分から下方へ折り曲げられた折曲片部１４より手前側に突出する姿勢で形成されているとともに、折曲片部１４の一部からさらに奥側に折曲された遮光片部１５が形成され、この遮光片部１５は、カセットホルダー３の奥端部に固定された光センサー１６の検知部分に対して出退自在に配置されている。また、ロックアーム１２の手前側端部には、カセットホルダー３に設けられた開口孔３ｂ（図９（ｂ）参照）を通して側方に出退する鉤状部１７が形成されている。この鉤状部１７は、カセットホルダー３が手前側の位置にある際には、カセットホルダー３の開口孔３ｂを通して、カセットホルダーガイド４に形成された切り欠き部４ｂに突入可能とされている。なお、ロックアーム１２のシャフト１１が挿入されている部分と鉤状部１７との間の箇所には、カセットホルダー３の側面部３ａに当接可能な規制突部１９が形成され、この規制突部１９がカセットホルダー３の側面部３ａに当接することでロックアーム１２の回動範囲が規制されている。
【０００８】
図１０（ａ）に示すように、カセットホルダー３にカセット２がないときには、付勢ばね１８の付勢力により、ロックアーム１２はａ方向に回動されて、ロックアーム１２の規制突部１９がカセットホルダー３の側面部３ａに当接した姿勢とされている。この状態では、ロックアーム１２の遮光片部１５が光センサー１６の検知部分から外れており、光センサー１６の受光部１６ａは遮光されず、この非遮光状態を検知することでカセット２が無いことを検出（判定）している。また同時に、ロックアーム１２の鉤状部１７はカセットホルダー３の開口孔３ｂから突出し、カセットホルダーガイド４に形成された切欠き部４ｂに突入されている。したがって、この状態で、ローディング誤作動等によりカセットホルダー３が奥側に移動しようとした場合でも、ロックアーム１２の鉤状部１７がカセットホルダーガイド４の切欠き部４ｂに臨む面に当接し、これにより、ローディング誤作動を防止している。
【０００９】
カセットホルダー３にカセット２が挿入されると、図１０（ｂ）に示すように、ロックアーム１２の押圧部１３がカセット２の奥端面に押圧され、ロックアーム１２がｂ方向（反ａ方向）に回動する。なお、カセットホルダー３に設けられているカセット保持機構（図示せず）によりカセット２が保持される。このとき、ロックアーム１２の遮光片部１５が光センサー１６の検知部分に突入して光センサー１６の受光部１６ａが遮光され、この遮光状態を検知することで、カセット２が在ることを検出している。またこの際には、ロックアーム１２の鉤状部１７はカセットホルダー３の内部に収納されている。すなわち、ロックアーム１２の鉤状部１７はカセットホルダー３の開口孔３ｂやカセットホルダーガイド４の切り欠き部４ｂに突入しておらず、これにより、通常のローディング動作が妨げられない。
【００１０】
磁気記録再生装置１の制御部（図示せず）は、カセット２が在ることを検出すると、この後にローディング動作を開始する。この際、カセット２はこの状態で保持されているため、光センサー１６において遮光された状態でローディング動作が行われる。
【特許文献１】特開平８−１８０５００号公報
【特許文献２】特開平９−２８２７５５号公報
【発明の開示】
【発明が解決しようとする課題】
【００１１】
しかしながら、前記従来構成のカセット検出装置では、顧客がローディング動作中にカセット２を引き抜いた時など、ローディング中にカセット２が無くなった場合は、図１０（ｃ）に示すように、ロックアーム１２の押圧部１３が解放されるため、付勢ばね１８の付勢力によりロックアーム１２がａ方向に回動する。
【００１２】
このローディング中は、カセットホルダー３がドライブ１内部を奥側へ水平移動しており、ロックアーム１２の鉤状部１７は、カセットホルダーガイド４の切欠き部４ｂとは位置がずれているため、この切欠き部４ｂには突入せずに、カセットホルダーガイド４の内壁に当接した状態となる。そのときロックアーム１２の遮光片部１５は、光センサー１６の受光部１６ａを遮光した状態のままである。
【００１３】
このため、実際には、カセット２がドライブ１から取り出されているにもかかわらず、磁気記録再生装置１の制御部は、まだカセット２がカセットホルダー３の中に在ると誤って認識してしまい、そのままローディング動作が続けられて、次のテープスレッディング動作ができないなどのローディングエラーを生じてしまう。
【００１４】
本発明は上記課題を解決するもので、顧客がローディング動作中にカセットが引き抜かれるなどしてロックアームなどのローディング誤作動防止用の部品が所定位置まで回動しない場合でも、カセットがなくなったことを良好に認識できて、ローディングエラーが発生することのない磁気記録再生装置におけるカセット検出装置を提供することを目的とする。
【課題を解決するための手段】
【００１５】
上記課題を解決するために本発明の磁気記録再生装置におけるカセット検出装置は、基台に対してスライド可能に配設されたカセット載置用のカセットホルダーと、前記基台に、前記カセットホルダーのスライド方向に対して略平行となる姿勢で固定されたカセットホルダーガイドと、前記カセットホルダーの奥部に、同じ回転軸心を中心として回動自在に配設された第１のレバーおよび第２のレバーと、第１のレバーをカセット挿入方向と略逆方向となる回動方向に付勢する付勢手段とを備え、前記第１のレバーは、カセットに当接して前記第１のレバーを回動させる押圧部と、前記カセットが挿入されて前記第１のレバーが回動された際に光センサーの発光部と受光部との間に入って遮光する遮光片部とを有し、前記第２のレバーは、カセット排出時に前記カセットホルダーガイドと係合する鉤状部を有し、第１のレバーおよび第２のレバーのうちの一方のレバーに、カセット挿入時に他方のレバーに係合して、第２のレバーをその鉤状部が前記カセットホルダーガイドから離脱する回動方向に移動させる挿入時係合部が設けられ、第１のレバーおよび第２のレバーのうちの一方のレバーに、カセット排出時に第１のレバーが所定角度回動した後に他方のレバーに係合して、第２のレバーをその鉤状部が前記カセットホルダーガイドと係合可能な回動方向に移動させる排出時係合部が設けられたことを特徴とする。
【発明の効果】
【００１６】
本発明によれば、ローディング中にカセットがない場合にも、光センサーの遮光を確実に解除できて、イジェクト（カセット挿入前）状態に戻すことができ、したがって、その後のローディングエラー等の発生を防止できて、信頼性を向上させることができる。
【発明を実施するための最良の形態】
【００１７】
本発明の磁気記録再生装置におけるカセット検出装置は、基台に対してスライド可能に配設されたカセット載置用のカセットホルダーと、前記基台に、前記カセットホルダーのスライド方向に対して略平行となる姿勢で固定されたカセットホルダーガイドと、前記カセットホルダーの奥部に、同じ回転軸心を中心として回動自在に配設された第１のレバーおよび第２のレバーと、第１のレバーをカセット挿入方向と略逆方向となる回動方向に付勢する付勢手段とを備え、前記第１のレバーは、カセットに当接して前記第１のレバーを回動させる押圧部と、前記カセットが挿入されて前記第１のレバーが回動された際に光センサーの発光部と受光部との間に入って遮光する遮光片部とを有し、前記第２のレバーは、カセット排出時に前記カセットホルダーガイドと係合する鉤状部を有し、第１のレバーおよび第２のレバーのうちの一方のレバーに、カセット挿入時に他方のレバーに係合して、第２のレバーをその鉤状部が前記カセットホルダーガイドから離脱する回動方向に移動させる挿入時係合部が設けられ、第１のレバーおよび第２のレバーのうちの一方のレバーに、カセット排出時に第１のレバーが所定角度回動した後に他方のレバーに係合して、第２のレバーをその鉤状部が前記カセットホルダーガイドと係合可能な回動方向に移動させる排出時係合部が設けられたことを特徴とする。
【００１８】
この構成により、カセットホルダーにカセットが入れられていない場合には、付勢手段の付勢力で第１のレバーおよび第２のレバーが回動して第２のレバーの鉤状部がカセットホルダーガイドと係合し、ローディングの誤作動を防止することができる。また、顧客がローディング動作中にカセットを引き抜くなどして、ローディング中にカセットがなくなった場合でも、まず、付勢手段の付勢力で第１のレバーだけが所定角度回動し、この後、排出時係合部が第１のレバーまたは第２のレバーに係合して第１のレバーとともに第２のレバーが回動することになる。したがって、第１のレバーが単独で回動する角度が大きくなるように配置することで、ローディング中にカセットがなくなった場合に、第２のレバーの鉤状部がカセットホルダーガイドと係合する姿勢まで回動しなくても、第１のレバーに設けた遮光片部により光センサーの光を遮光しなくなるまで第１のレバーを回動させることができ、これにより、カセットが無くなったことを検知できて、ローディングエラーが発生することを防止できる。
【００１９】
また、本発明は、上記構成に加え、カセット排出時に付勢手段の付勢力で第１のレバーが回動される際に、排出時係合部が、他方のレバーに対して、前記遮光片部による光センサーの光の遮光を終了したタイミングで、係合するように配置したことを特徴とする。
【００２０】
これにより、顧客がローディング動作中にカセットを引き抜くなどして、ローディング中にカセットがなくなった場合に、排出時係合部が他方のレバーに係合するまでに、遮光片部による光センサーの光の遮光を終了でき、これにより、カセットが無くなったことをより確実に検知できて、ローディングエラーが発生することを防止でき、信頼性を向上させることができる。すなわち、この場合には、排出時係合部が他方のレバーに係合してから第１のレバーと連動して第２のレバーが回動することとなり、例えば、この場合には、カセットホルダーガイドの所定の係合箇所に係合することなく、カセットホルダーガイドの他の箇所等に当接したりするが、この場合の第２のレバーの回動許容角度に関係なく、遮光片部による光センサーの光の遮光を終了できて、カセットが無くなったことを確実に検知できる。
【００２１】
また、本発明は、第２のレバーの、カセットホルダーおよび第１のレバーの少なくとも一方の部材に接触する面に、潤滑表面処理を施したことを特徴とし、この構成により、第２のレバーの、カセットホルダーや第１のレバーに対する摺動負荷（摺動抵抗）を低減させることができ、第２のレバーを摺動負荷が小さい状態で自由かつ良好に回転できて、信頼性が向上する。
【００２２】
また、本発明は、第１のレバーにおける回転軸心の外周となる箇所に、第２のレバーと当接する環状の凸部を設けたことを特徴とし、この構成によっても、第１のレバーの第２のレバーに対する摺動負荷（摺動抵抗）を低減させることができ、第１および第２のレバーを摺動負荷が小さい状態で自由かつ良好に回転できて、信頼性が向上する。
【００２３】
以下、本発明の実施の形態に係る磁気記録再生装置におけるカセット検出装置を図面とともに詳細に説明する。
図１は、本発明の実施の形態に係る磁気記録再生装置におけるカセット検出装置を斜め下方から見た斜視図（カセットホルダーを裏返して斜め上方から見た図）、図２（ａ）〜（ｃ）はそれぞれカセットホルダーを下方から見た下面図（カセットホルダーを裏返して上方から見た平面図）で、図２（ａ）はカセットを挿入する前の状態を示し、図２（ｂ）はカセットを挿入した状態を示し、図２（ｃ）、（ｄ）はローディング中にカセットを抜いた状態を示す。なお、図７〜図１０に示した磁気記録再生装置におけるカセット検出装置と同機能のものには同符号を付す。また、図７に示す磁気記録再生装置の斜視図は、本発明の実施の形態に係る磁気記録再生装置におけるカセット検出装置についても同様であるため、これらの図面についての図示は省略する。
【００２４】
図１、図２に示すように、カセットホルダー３の上面部奥側の隅部にカセットホルダー３の上面部裏面から下方に延びる姿勢で取り付けられたシャフト１１には、第１のレバー２１と第２のレバー２２とが上下に重ねられた姿勢（より詳しくは、カセットホルダー３の上面部裏面に第２のレバー２２が重ねられ、さらに第２のレバー２２に第１のレバー２１が重ねられた姿勢）で、シャフト１１を回転軸心としてそれぞれ回動自在に配設されている。シャフト１１には、つるまきばねからなる付勢手段としての付勢ばね１８が、その一端が第１のレバー２１に形成された係止爪２３に引っ掛けられた状態で遊嵌されており、この付勢ばね１８により、第１のレバー２１は図１および図２（ａ）におけるａ方向に付勢されている。
【００２５】
第１のレバー２１におけるシャフト１１の外嵌部分の周囲には第２のレバー２２側に段差状に突出して第２のレバー２２と接触する環状の凸部２４が形成されており、この凸部２４の箇所だけで第１のレバー２１と第２のレバー２２とが接触して接触面積の低減化が図られているため、これにともなって、第１、第２のレバー２１、２２の相互の摺動負荷（摺動抵抗）が低減されている。また、第２のレバー２２におけるカセットホルダー３の上面部裏面３ｃに対向して接触する箇所（図１において裏面となる箇所）は潤滑表面処理が施されており（図示せず）、これにより、第１のレバー２１のカセットホルダー３に対する摺動負荷（摺動抵抗）を低減させている。これらの摺動負荷低減構造により、第１のレバー２１と第２のレバー２２とは摺動負荷が小さい状態で自由かつ良好に回動できる構造となっている。
【００２６】
第１のレバー２１には、カセット２が挿入された際に、カセット２の奥端面に当接する半球突起形状の押圧部１３が、第１のレバー２１の奥側部分から下方（図１の紙面においては上方）へ折り曲げられた折曲片部１４より手前側に突出する姿勢で形成されているとともに、折曲片部１４の一部からさらに奥側に折曲された遮光片部１５が形成され、この遮光片部１５は、カセットホルダー３の奥端部に固定された光センサー１６の検知部分に対して出退自在に配置されている。
【００２７】
また、第２のレバー２２の手前側端部には、カセットホルダー３に開口された開口孔３ｂ（図１参照）を通して側方に出退する鉤状部１７が形成されており、この鉤状部１７は、カセットホルダー３が手前側の位置にある際には、カセットホルダー３の開口孔３ｂを通して、カセットホルダーガイド４に形成された切り欠き部４ｂに突入可能とされている。なお、第２のレバー２２の手前寄り部分には、カセットホルダー３の側面部３ａに当接可能な規制突部１９が形成され、この規制突部１９がカセットホルダー３の側面部３ａに当接することで第２のレバー２２の最大回動範囲が規制されている。
【００２８】
また、本発明の磁気記録再生装置におけるカセット検出装置では、カセット挿入時などに、第１のレバー２１が所定角度回動した後に第２のレバー２２（または第１のレバー２１）に係合して第２のレバー２２を連動させる挿入時係合部としての第１のリブ２５と、カセット排出時などのカセットホルダー３からカセット２が取り出された際に、後述するように、第１のレバー２１が所定角度回動した後に第２のレバー２２（または第１のレバー２１）に係合して第２のレバー２２を連動させる排出時係合部としての第２のリブ２６とが設けられており、この実施の形態では、挿入時係合部としての第１のリブ２５と、排出時係合部としての第２のリブ２６とが何れも第１のレバー２１に形成されている。
【００２９】
第１のリブ２５は、第１のレバー２１の手前側部分におけるカセットホルダー３の側面部３ａ寄り箇所の一部を折曲して形成している。そして、図２（ｂ）に示すように、カセットホルダー３にカセット２が入っている状態で、付勢ばね１８の付勢力に抗して第１のレバー２１がｂ方向（すなわち反ａ方向）に回動されている際に、この第１のリブ２５が第２のレバー２２に係合して第１のレバー２１とともに第２のレバー２２をｂ方向に回動させる。
【００３０】
第２のリブ２６は、第１のレバー２１の手前側部分におけるカセットホルダー３の側面部３ａから離れた箇所の一部を折曲して形成している。そして、図２（ａ）、（ｃ）、（ｄ）に示すように、カセット排出時などの、カセットホルダー３からカセット２が取り出され、付勢ばね１８の付勢力により第１のレバー２１がａ方向に回動される際に、この第２のリブ２６が第２のレバー２２に係合して第１のレバー２１とともに第２のレバー２２をａ方向に回動させる。
【００３１】
ここで、第１のレバー２１の第２のリブ２６は、図２（ｂ）に示すように、カセットホルダー３にカセット２が収容された状態から、カセット２が引き抜かれて排出され、付勢ばね１８の付勢力により第１のレバー２１がａ方向に回動される際に、第２のリブ２６が第２のレバー２２に対して、第１のレバー２１に設けられた遮光片部１５による光センサー１６の光の遮光を終了したタイミングで、係合する（図２（ｃ）参照）ように形成されている。
【００３２】
上記構成において、図２（ａ）に示すように、カセットホルダー３にカセット２がないときには、付勢ばね１８の付勢力により、第１のレバー２１はａ方向に回動されている。また、第１のレバー２１の第２のリブ２６が第２のレバー２２に係合して、第２のレバー２２が第１のレバー２１と一体に、第２のレバー２２に形成された規制突部１９がカセットホルダー３の側面部３ａに当接するまで、ａ方向に回動されている。この状態では、第１のレバー２１の遮光片部１５は光センサー１６の検知部分から外れており、光センサー１６の受光部１６ａが遮光されず、この非遮光状態を検知することで、カセット２が無いことを検出している。また同時に、第２のレバー２２の鉤状部１７はカセットホルダー３の開口孔３ｂから突出し、カセットホルダーガイド４に形成された切欠き部４ｂに突入されている。したがって、この状態で、ローディング誤作動等によりカセットホルダー３が奥側に移動しようとした場合でも、第２のレバー２２の鉤状部１７がカセットホルダーガイド４の切欠き部４ｂに臨む奥側の面に当接し、これにより、ローディング誤作動を防止している。
【００３３】
カセットホルダー３にカセット２が挿入されると、図２（ｂ）に示すように、第１のレバー２１の押圧部１３がカセット２の奥端面に押圧され、第１のレバー２１が付勢ばね１８の付勢力に抗してｂ方向（反ａ方向）に回動する。これに伴い、第１のレバー２１の第１のリブ２５が第２のレバー２２に係合して、第２のレバー２２が第１のレバー２１と一体にｂ方向に回動する。なお、カセットホルダー３に設けられているカセット保持機構（図示せず）によりカセット２は保持される。このとき、第１のレバー２１の遮光片部１５が光センサー１６の検知部分に突入して光センサー１６の受光部１６ａが遮光され、この遮光状態を検知することで、カセット２が在ることを検出する。またこの際には、第２のレバー２２の鉤状部１７はカセットホルダー３の内部に収納され、すなわち、カセットホルダー３の開口孔３ｂやカセットホルダーガイド４の切り欠き部４ｂに突入しておらず、これにより、通常のローディング動作が妨げられない。
【００３４】
また、顧客がローディング動作中にカセット２を引き抜いた時など、ローディング中にカセット２が無くなった場合は、第１のレバー２１の押圧部７が解放されるため、図１０（ｂ）に示す状態から、付勢ばね１８の付勢力により、まず第１のレバー２１だけがａ方向に回動し始める。そして、第１のレバー２１が、図２（ｂ）に示す第１のレバー２１の第２のリブ２６と第２のレバー２２との隙間分（すなわち所定角度分）だけ回動した時点で、図２（ｃ）に示すように、第１のレバー２１の第２のリブ２６が第２のレバー２２に当接して係合する。
【００３５】
この場合に、第２のリブ２６は、第２のレバー２２に係合し始める際（図２（ｃ）参照）には、第１のレバー２１に設けられた遮光片部１５が光センサー１６の遮光動作を既に終了する、すなわち遮光していない位置関係となるように配設されているので、この時点では、光センサー１６の受光部１６ａが光を検知する。
【００３６】
また、この後、第２のリブ２６が第２のレバー２２に係合した状態で、第１のレバー２１と第２のレバー２２とが一体的にａ方向に回動するが、ローディング中は、カセットホルダー３がドライブ１内部を奥側へ水平移動しており、第２のレバー２２の鉤状部１７は、カセットホルダーガイド４の切欠き部４ｂとは位置がずれており、切欠き部４ｂには突入することができず、したがって、第１のレバー２１および第２のレバー２２は、鉤状部１７が、カセットホルダーガイド４の内壁に当接した状態となるまで回動する（図２（ｄ）参照）。
【００３７】
この結果、鉤状部１７が、カセットホルダーガイド４の内壁に当接するものの、光センサー１６により、カセット２が無くなったことを検出できる。したがって、ローディング中にカセット２がなくなったことを確実に検出でき、この場合は、イジェクト（カセット挿入前）状態に戻すことでローディングエラーの発生等を防止することができる。
【００３８】
このように、顧客がローディング動作中にカセット２を引き抜くなどして、ローディング中にカセット２がなくなった場合でも、第２のリブ２６が第２のレバー２２に係合するまでに、遮光片部１５による光センサー１６の光の遮光を終了でき、これにより、カセット２が無くなったことを確実に検知できて、ローディングエラーが発生することを防止でき、磁気記録再生装置の信頼性を向上させることができる。すなわち、この場合には、第２のリブ２６が第２のレバー２２に係合してから第１のレバー２１と連動して第２のレバー２２が回動することとなり、第２のレバー２２の鉤状部１７がカセットホルダーガイド４の切欠き部４ｂに係合することなく、カセットホルダーガイド４の他の箇所に当接することとなるが、この場合の第２のレバー２２の回動する角度にかかわることなく、つまりこの場合の第２のレバー２２の回動する角度が例え０度であったとしても、遮光片部１５による光センサー１６の光の遮光を既に終了しているので、カセット２が無くなったことを確実に検知でき、極めて良好な信頼性を得ることができる。
【００３９】
なお、上記の実施の形態では、第２のリブ２６は、第２のレバー２２に係合する際には、第１のレバー２１に設けられた遮光片部１５が光センサー１６の遮光動作を既に終了する位置関係で配設されている場合を述べたが、これに限るものではなく、第２のリブ２６が第２のレバー２２に係合してから第１のレバー２１と連動して第２のレバー２２がカセットホルダーガイド４の内壁に当接するまでに、遮光片部１５による光センサー１６の光の遮光を終了できる位置まで第１のレバー２１が回動するように配置すればよい。但し、この場合には、製品の組付け誤差や、第２のレバー２２が当接するカセットホルダーガイド４の形状などにより、第２のレバー２２および第１のレバー２１の回動角度が若干変化する場合があるので、どのような箇所に当接した場合でも、遮光片部１５により遮光していることを確認する必要がある。
【００４０】
また、上記実施の形態においては第１のリブ２５および第２のリブ２６の両方を第１のレバー２１に形成した場合を述べ、この場合には、第２のレバー２２が、第１のレバー２１に設けられた第１のリブ２５と第２のリブ２６との何れにも係合しない回動角度の範囲内で、第１のレバー２１に第２のレバー２２が連動しない構成であり、第１のレバー２１がｂ方向に回動する際は、図２（ｂ）に示すように、第１のレバー２１におけるカセットホルダー３の側面部３ａ寄り箇所に形成されている第１のリブ２５が第２のレバー２２に係合して第２のレバー２２を連動させ、また、第１のレバー２１がａ方向に回動する際は、図２（ａ）、（ｃ）、（ｄ）に示すように、第１のレバー２１におけるカセットホルダー３の側面部３ａから離れた箇所に形成されている第２のリブ２６が第２のレバー２２に係合して第２のレバー２２を連動させる構成としているが、これに限るものではない。
【００４１】
例えば、これに代えて、図３および図４に示すように、第１のリブ２５および第２のリブ２６を第２のレバー２２に形成してもよい。この場合には、第１のリブ２５を、第２のレバー２２におけるカセットホルダー３の側面部３ａから離れた側に形成し、第２のリブ２６を、第２のレバー２２におけるカセットホルダー３の側面部３ａ寄り箇所に形成する。この場合においては、第１のレバー２１が、第２のレバー２１に設けられた第１のリブ２５と第２のリブ２６との何れにも係合しない回動角度の範囲内で、第１のレバー２１に第２のレバー２２が連動しない構成であり、図４（ｂ）に示すように、第１のリブ２５がｂ方向に回動する際は、第１のレバー２１が、第２のレバー２２におけるカセットホルダー３の側面部３ａから離れた箇所に形成されている第１のリブ２５に係合して第２のレバー２２を連動させ、また、第１のリブ２５がａ方向に回動する際は、図４（ａ）、（ｃ）、（ｄ）に示すように、第１のレバー２１が、第２のレバー２２におけるカセットホルダー３の側面部３ａ寄り箇所に形成されている第２のリブ２６に係合して第２のレバー２２を連動させる構成である。
【００４２】
そして、カセットホルダー３にカセット２が収容された状態から引き抜かれてカセット２が無くなり、付勢ばね１８の付勢力により第１のレバー２１だけがａ方向に回動し始め、第１のレバー２１が、第２のレバー２２に設けられた第２のリブ２６に係合し始める際（図４（ｃ）参照）に、第１のレバー２１に設けられた遮光片部１５が光センサー１６の遮光動作を既に終了する、すなわち遮光していない位置関係となるように、第２のリブ２６を形成する。
【００４３】
この構造によっても、同様の効果を得ることができる。
なお、これに代えて、第１のレバー２１が第２のレバー２２の第２のリブ２６に係合してから第１のレバー２１と連動して第２のレバー２２がカセットホルダーガイド４の内壁に当接するまでに、遮光片部１５による光センサー１６の光の遮光を終了できる位置まで第１のレバー２１が回動するように配置してもよい。
【００４４】
また、さらに別途の変形例として、図５および図６に示すように、第１のレバー２１に扇形状の異形孔３１を形成し、第２のレバー２２に第１のレバー２１の異形孔３１に突入する突起部３２を設け、突起部３２が異形孔３１の両端面に当接しない回動角度の範囲内で、第１のレバー２１に第２のレバー２２が連動しない構成であり、この異形孔３１の何れかの端面に突起部３２が当接することで、第１のレバー２１に対する第２のレバー２２の相対位置（回動位置）を規制するように構成してもよい。この場合には、１つの突起部３２と異形孔３１とにより挿入時係合部および排出時係合部の機能を兼用しており、これによっても、同様の効果を得ることが可能である。
【００４５】
なお、異形孔３１を第２のレバー２２に形成し、突起部３２を第１のレバー２１に設けても同様の効果を得ることができる。
【産業上の利用可能性】
【００４６】
本発明の磁気記録再生装置におけるカセット検出装置はリニアテープオープン方式などの磁気記録再生装置に適しており、これらの磁気記録再生装置は、ネットワーク用のテープストレージとして特に有用である。
【図面の簡単な説明】
【００４７】
【図１】本発明の実施の形態に係る磁気記録再生装置におけるカセット検出装置を斜め下方から見た斜視図（カセットホルダーを裏返して斜め上方から見た図）
【図２】（ａ）〜（ｄ）はそれぞれ同カセット検出装置のカセットホルダーを下方から見た下面図（カセットホルダーを裏返して上方から見た平面図）で、（ａ）はカセットを挿入する前の状態、（ｂ）はカセットを挿入した状態、（ｃ）、（ｄ）はローディング中にカセットを抜いた状態
【図３】本発明の他の実施の形態に係る磁気記録再生装置におけるカセット検出装置を斜め下方から見た斜視図（カセットホルダーを裏返して斜め上方から見た図）
【図４】（ａ）〜（ｄ）はそれぞれ同カセット検出装置のカセットホルダーを下方から見た下面図（カセットホルダーを裏返して上方から見た平面図）で、（ａ）はカセットを挿入する前の状態、（ｂ）はカセットを挿入した状態、（ｃ）、（ｄ）はローディング中にカセットを抜いた状態
【図５】本発明のその他の実施の形態に係る磁気記録再生装置におけるカセット検出装置を斜め下方から見た斜視図（カセットホルダーを裏返して斜め上方から見た図）
【図６】（ａ）〜（ｄ）はそれぞれ同カセット検出装置のカセットホルダーを下方から見た下面図（カセットホルダーを裏返して上方から見た平面図）で、（ａ）はカセットを挿入する前の状態、（ｂ）はカセットを挿入した状態、（ｃ）、（ｄ）はローディング中にカセットを抜いた状態
【図７】磁気記録再生装置の斜視図
【図８】（ａ）および（ｂ）は、従来の磁気記録再生装置におけるカセット検出装置のカセットホルダーの平面図（上面側から下方に見た図）および正面図
【図９】（ａ）および（ｂ）は、同従来のカセット検出装置のローディング誤作動防止機能を持ったカセット検出機構を斜め上方から見た斜視図、およびそのカセット検出機構の一部（平面視して左側奥部）を斜め下方から見た斜視図（カセットホルダーを裏返して斜め上方から見た図）
【図１０】（ａ）〜（ｃ）はそれぞれ同従来のカセット検出装置のカセットホルダーを下方から見た下面図（カセットホルダーを裏返して上方から見た平面図）で、（ａ）はカセットを挿入する前の状態、（ｂ）はカセットを挿入した状態、（ｃ）はローディング中にカセットを抜いた状態
【符号の説明】
【００４８】
１      磁気記録再生装置
２      カセット
３      カセットホルダー
４      カセットホルダーガイド
５      基台（シャーシ）
１１    シャフト（回転軸心）
１２    ロックアーム
１３    押圧部
１４    折曲片部
１５    遮光片部
１６    光センサー
１７    鉤状部
１８    付勢ばね（付勢手段）
１９    規制突部
２１    第１のレバー
２２    第２のレバー
２３    係止爪
２４    環状の凸部
２５    第１のリブ（挿入時係合部）
２６    第２のリブ（排出時係合部）
３１    異形孔（挿入時係合部、排出時係合部）
３２    突起部（挿入時係合部、排出時係合部）
【図１】
2008041205.tif 000003
【図２】
2008041205.tif 000004
【図３】
2008041205.tif 000005
【図４】
2008041205.tif 000006
【図５】
2008041205.tif 000007
【図６】
2008041205.tif 000008
【図７】
2008041205.tif 000009
【図８】
2008041205.tif 000010
【図９】
2008041205.tif 000011
【図１０】
2008041205.tif 000012